(57)【要約】【課題】種々のスイッチユニットを組み合わせて様々な種類の機能をリモートコントロールすることができるリモコン装置を提供する。【解決手段】リモコン装置は、ベース１と、該ベース１に装着されたシャワー系スイッチユニット２０、フラッシュスイッチユニット３０及び便蓋スイッチユニット４０とを備えてなる。各スイッチユニット２０〜４０の背面のピンをピンコネクタ１２，１３，１４のピン差込孔に差し込むことによりスイッチユニット２０〜４０がベース１に装着される。別のスイッチ機能を有したスイッチユニットも装着可能である。【選択図】  図１
2005012546.tif 000002
【特許請求の範囲】
【請求項１】
操作スイッチ及び該操作スイッチの出力信号を出力するための第１の端子を有したスイッチユニットと、
該スイッチユニットが装着されるスイッチユニット装着部を有するベースと、
該ベースに設けられており、該スイッチユニット装着部に該スイッチユニットが装着されたときに該第１の端子と接続される第２の端子と、
該ベースに設けられており、該操作スイッチからの出力信号に応じてコマンド波を出力する手段と、
を備えてなるリモコン装置。
【請求項２】
請求項１において、該ベースに電源が設けられていることを特徴とするリモコン装置。
【請求項３】
請求項１又は２において、該ベースに複数の前記スイッチユニット装着部が設けられていることを特徴とするリモコン装置。
【請求項４】
請求項３において、１つのスイッチユニット装着部に配置位置を異ならせて複数の第２の端子が設けられており、
各スイッチユニットの第１の端子が異なる位置の第２の端子に接続されるようにスイッチユニット同士で第１の端子の配置位置が異なっていることを特徴とするリモコン装置。
【請求項５】
請求項４において、該第１の端子と第２の端子のうちの一方はピンであり、他方はピン差込孔であることを特徴とするリモコン装置。
【請求項６】
請求項５において、ピン差込孔が一直線状に配列されていることを特徴とするリモコン装置。
【請求項７】
請求項１ないし６のいずれか１項において、該ベースは周縁部が囲枠状となっており、この囲枠状周縁部で囲まれた部分にスイッチユニットが装着可能となっていることを特徴とするリモコン装置。
【請求項８】
請求項７において、該囲枠状周縁部で囲まれた部分にスイッチユニットとダミープレートが装着可能となっていることを特徴とするリモコン装置。
【発明の詳細な説明】
【０００１】
【発明の属する技術分野】
本発明は、被操作機器にコマンド波を与えて遠隔操作するためのリモコン装置に係り、例えば洋風便器に設けられた温水洗浄装置等のトイレ電装品を操作するのに好適なリモコン装置に関する。
【０００２】
【従来の技術】
温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。
【０００３】
また、トイレの電装品としては、便座や便蓋をスイッチ操作によって開閉する開閉装置；便座ボックスやタンクカバーを上下動させ、それらの下面側の洋風便器上面を清掃し易くするための昇降装置；暖房便座；トイレ用エアコンなどがある。
【０００４】
各電装品をリモートコントロールするためのリモコン装置に上記のすべての電装品用のスイッチを設けたのでは、リモコン装置が徒に大型化してしまう。トイレルームに設置された電装品用のスイッチのみをリモコン装置に具備させる場合には、電装品の組み合わせに応じたスイッチ組合せを有するリモコン装置を製作する必要があり、リモコン装置の種類が著しく増えてしまう。
【０００５】
このような問題に対処するものとして、特開平１０−３１７４６２号には、複数のリモコン同士を嵌め合い方式により着脱可能に連結し、複数種類のリモコンを組み合わせ得るようにしたリモコン装置が記載されている。
【０００６】
【特許文献１】
特開平１０−３１７４６２号公報
【０００７】
【発明が解決しようとする課題】
上記特開平１０−３１７４６２号のリモコン装置にあっては、各リモコンからそれぞれ配線ケーブルが引き出されているため、このリモコン装置をトイレルームの壁面に設置したときには各リモコンと被操作機器との間に配線ケーブルが引き回されることになり、配線が露出し、見栄えが悪い。また、配線引き回しに手間が掛かる。さらに、清掃時に配線が引っ掛かるなどの不便もある。
【０００８】
各リモコンからそれぞれ赤外線等によってコマンド信号を出力させるよう構成することも考えられるが、この場合には、各リモコンにそれぞれ信号処理回路、電源、及び信号出力部を設けるため、コスト高になる。
【０００９】
本発明は、被操作機器の種類に対応するスイッチをすべて備えており、しかも構成が簡易で製作コストも低く抑えることが可能なリモコン装置を提供することを目的とする。
【００１０】
【課題を解決するための手段】
本発明のリモコン装置は、操作スイッチ及び該操作スイッチの出力信号を出力するための第１の端子を有したスイッチユニットと、該スイッチユニットが装着されるスイッチユニット装着部を有するベースと、該ベースに設けられており、該スイッチユニット装着部に該スイッチユニットが装着されたときに該第１の端子と接続される第２の端子と、該ベースに設けられており、該操作スイッチからの出力信号に応じてコマンド波を出力する手段と、を備えてなるものである。
【００１１】
かかる本発明によると、被操作機器の種類に応じてスイッチユニットを組み合わせることにより、必要且つ十分な機能を有したリモコン装置が提供される。
【００１２】
このリモコン装置にあっては、ベースにコマンド波出力手段が設けられているので、各スイッチユニットにはスイッチと、該スイッチに導通した第１の端子のみが設けられればよく、各スイッチユニットには電源や信号処理回路、コマンド波発信部を設けることが不要となる。このため、各スイッチユニットの構成が簡易であり、製作コストも低廉である。
【００１３】
本発明では、コマンド波としては赤外線信号が好適であるが、これに限定されない。本発明では、ベースに電池等の電源を設けるのが好ましい。
【００１４】
【発明の実施の形態】
以下、図面を参照して実施の形態について説明する。図１は実施の形態に係るリモコン装置の分解斜視図、図２はこのリモコン装置の正面斜視図、図３はコネクタの斜視図、図４は図１のＩＶ−ＩＶ線断面図、図５はリモコン装置のブロック図である。
【００１５】
このリモコン装置は、洋風便器の温水洗浄装置等の電装品をリモートコントロールするためのものである。この洋風便器には、温水洗浄装置と、電動式フラッシュ装置と、電動式便蓋開閉装置とが設けられている。
【００１６】
この温水洗浄装置には、シャワー（肛門）洗浄装置、チャーム（ビデ）洗浄装置、温風乾燥装置が設けられている。
【００１７】
電動式フラッシュ装置は、ロータンクのフロート弁を引き上げてロータンク内の水を洋風便器の便鉢に流出させるよう構成されたものであり、フロート弁を所定高さまで引き上げてロータンク内の水の略全量を放出する大洗浄と、フロート弁を短時間だけ少しだけ引き上げて少量の水を便鉢に流出させる小洗浄とを行うよう構成されている。
【００１８】
便蓋開閉装置は、便蓋開信号を受けて便蓋を起立回動させ、便蓋閉信号を受けて便蓋を倒伏回動させるよう構成されている。
【００１９】
図１に示される通り、このリモコン装置は、ベース１と、該ベース１に装着されたシャワー系スイッチユニット２０、フラッシュスイッチユニット３０及び便蓋スイッチユニット４０とを備えてなる。
【００２０】
ベース１は、方形の略盤状のケーシング１０を備えている。このケーシング１０は、周縁部が囲枠状に前方へ突出し、該周縁部で囲まれた中央部が該ユニット２０，３０，４０を収容するように凹陥している。この凹陥部分に各ユニット２０，３０，４０の装着部２，３，４が設定され、各スイッチユニット装着部２，３，４にそれぞれ第２の端子群を構成するピンコネクタ１２，１３，１４が設けられている。各ピンコネクタ１２，１３，１４には複数のピン差込孔（端子）が設けられている。
【００２１】
図４の通り、このケーシング１０は、中空殻体構造を有しており、その内部には、各ピンコネクタを介して入力される操作スイッチ信号を処理してコマンド信号を発生させるための信号処理回路を搭載した回路基板１５が設けられると共に、この回路基板１５に電力を供給するための電池（乾電池）１６が設置されている。第１，２図の通り、ケーシング１０の側面には、乾電池の出入れ用のキャップ１６ａが設けられている。なお、キャップ１６ａはケーシング１０の背面や下面、上面などに設けられてもよい。また、乾電池の代りに蓄電池やコンデンサなどの蓄電手段と、ソーラーパネルとを設けてもよい。
【００２２】
ケーシング１０には、赤外線発光素子によりコマンド信号を送信する発光部１７が設けられている。
【００２３】
シャワー系スイッチユニット２０は、前面に肛門洗浄用シャワースイッチ２１と、ビデ用チャームスイッチ２２と、洗浄後に臀部を温風乾燥するためのドライスイッチ２３と、シャワー洗浄、チャーム洗浄又は温風乾燥を停止させるストップスイッチ２４と、温水の水量や温風の風量を増減させるための水量・風量調節スイッチ２５と温水や温風の温度を調節する温度調節スイッチ２６とを備えている。
【００２４】
このシャワー系スイッチユニット２０の背面には、ピンコネクタ１２が嵌合する凹部２７が設けられ、この凹部２７内に複数の信号出力用ピン（第１の端子）２８が並設されている。
【００２５】
フラッシュスイッチユニット３０は、洋風便器の大使用後に多量の水を便鉢に流すための大フラッシュスイッチ３１と、小使用後に少量の水を便鉢に流すための小フラッシュスイッチ３２とを備えている。このフラッシュスイッチユニット３０の背面には、ピンコネクタ１３と係合する凹部３７が設けられ、この凹部３７内に３本のピン（第１の端子）３８が立設されている。
【００２６】
便蓋スイッチユニット４０は、前面と便蓋開スイッチ４１と便蓋閉スイッチ４２とを備え、背面にはピンコネクタ１４が係合する凹部４７が設けられ、この凹部４７内に３本のピン（第１の端子）４８が立設されている。
【００２７】
これらのスイッチユニット２０，３０，４０は、各々の凹部２７，３７，４７をピンコネクタ１２，１３，１４に嵌合させることによりベース１に装着される。ただし、この凹部とピンコネクタ以外の係止手段（例えば係止爪と爪係合用段部）をスイッチユニットとベースとに設け、これによりスイッチユニットをベースに装着するようにしてもよい。
【００２８】
各スイッチユニット２０，３０，４０は、それらに設けられた各スイッチの接点の開閉により発生する信号をそのままピン２８，３８又は４８を介して出力するようスイッチとピンとがリード線等を介して直接的に結合されており、内部に信号処理回路は設けられていない。
【００２９】
ピンコネクタには、次に説明する第２の端子としてのピン差込孔が設けられている。
【００３０】
ピンコネクタ１３，１４の大きさ及びスイッチユニット３０，４０の凹部３７，４７の大きさは同一である。また、図３に示すように、ピンコネクタ１３，１４のピン差込孔５１〜５９の配列も同一となっている。ピン差込孔５１〜５９は一直線状に並列配置されている。
【００３１】
フラッシュスイッチユニット３０の３本のピン３８は、ピンコネクタ１３，１４の共通ピン差込孔５１と大洗浄ピン差込孔５２及び小洗浄ピン差込孔５３に差し込まれる。便蓋スイッチユニット４０の３本のピン４８は、共通ピン差込孔５１と便蓋開ピン差込孔５８と、便蓋閉ピン差込孔５９とに差し込まれる。
【００３２】
各ピンコネクタ１３，１４には、便座開ピン差込孔５４、便座閉ピン差込孔５５、便座上昇ピン差込孔５６、便座下降ピン差込孔５７が設けられているが、図１〜５の実施の形態ではこれらのピン差込孔５４〜５７は使用されていない。
【００３３】
フラッシュスイッチユニット３０をスイッチユニット装着部３，４の一方に装着すると、３本のピン３８が共通ピン差込孔５１、大洗浄ピン差込孔５２及び小洗浄ピン差込孔５３とに差し込まれる。これにより、フラッシュスイッチユニット３０をスイッチユニット装着部３，４のいずれに装着した場合であっても、スイッチ３１，３２の操作信号がピン３８とピン差込孔５１，５２，５３を介して信号処理回路に入力される。
【００３４】
同様に、便蓋スイッチユニット４０をスイッチユニット装着部３，４のいずれに装着した場合であっても、ピン４８が共通ピン差込孔５１、便蓋開ピン差込孔５８及び便蓋閉ピン差込孔５９に差し込まれ、スイッチ４１，４２の操作信号が信号処理回路に入力される。従って、スイッチユニット３０，４０は装着位置を入れ替えることができる。
【００３５】
このスイッチユニット３０又は４０の代りに、図６に示す便座スイッチユニット７０や便座昇降スイッチユニット８０を装着することもできる。これらのスイッチユニット７０，８０も３本のピンを有している。便座スイッチユニット７０のピンは、共通ピン差込孔５１と便座開ピン差込孔５４と便座閉ピン差込孔５５とに差し込まれる。便座昇降スイッチユニット８０のピンは、共通ピン差込孔５１と便座上昇ピン差込孔５６と便座下降ピン差込孔５７とに差し込まれる。
【００３６】
従って、この図１〜５のリモコン装置は、シャワー系スイッチユニット２０とフラッシュスイッチユニット３０と便蓋スイッチユニット４０との組み合わせの他、該スイッチユニット３０，４０の一方又は双方を図６に示す便座スイッチユニット７０、便座昇降スイッチユニット８０と入れ替えることができる。
【００３７】
図１〜５のリモコン装置では、３個のスイッチユニット２０，３０，４０を装着しているが、さらに多くのスイッチユニットを組み合わせてもよい。図６はその一例を示すものであり、ベース１Ａには、スイッチユニット装着部２，３，４に加えさらにスイッチユニット装着部６１，６２が設けられている。各スイッチユニット装着部６１，６２はスイッチユニット装着部３，４と同一大きさであり、ピンコネクタ１３，１４と同一寸法且つ同一配置にて同数個のピン差込孔５１〜５９が設けられている。図６では、スイッチユニット装着部６１に便座スイッチユニット７０が装着され、スイッチユニット装着部６２に便座昇降スイッチユニット８０が装着されている。
【００３８】
便座スイッチユニット７０の開スイッチ７１を押すと、便座が起立回動し、閉スイッチ７２を押すと、便座が倒伏回動する。便座昇降スイッチユニット８０の上昇スイッチ８１を押すと、便座及び便座ボックスが上昇し、下降スイッチ８２を押すとこれらが下降する。
【００３９】
図６のスイッチユニット３０，４０，７０，８０の配列は一例であり、これらの配列順位は任意である。
【００４０】
図１〜６ではスイッチユニット２０に加えてスイッチユニット３０，４０、あるいはさらにスイッチユニット７０，８０を設置しているが、スイッチユニット３０，４０，７０，８０のうち一部のもののみを採用してもよく、スイッチユニット３０〜８０のすべてを省略してもよい。スイッチユニット３０〜８０を装着しないことにより空所となるスイッチユニット装着部に対しては、スイッチユニットと同一又は類似の外観を有したプレート材（ダミープレート）を装着し、意匠上のまとまりを形成するのが好ましい。このダミープレートには、ミラーやスピーカ、照明、電池ボックスなどの備品を設けてもよい。
【００４１】
上記実施の形態は本発明の一例であり、本発明は図示以外の形態をもとりうる。本発明では、ピンをケーシング１０側に設け、ピン差込孔をスイッチユニット側に設けてもよい。ベースの囲枠状部分は省略されてもよい。スイッチユニットの数、ベースの大きさ、ベースの外観形状は任意であり、また、上記以外の各種トイレ用電装品（例えば暖房便座、トイレ用空調装置など）のリモートコントロールを行うよう構成することも可能である。
【００４２】
【発明の効果】
以上の通り、本発明によると、種々のスイッチユニットを組み合わせて様々な種類の機能をリモートコントロールすることができるリモコン装置が提供される。
【図面の簡単な説明】
【図１】実施の形態に係るリモコン装置の分解斜視図である。
【図２】このリモコン装置の正面斜視図である。
【図３】コネクタの斜視図である。
【図４】図１のＩＶ−ＩＶ線断面図である。
【図５】リモコン装置のブロック図である。
【図６】別の実施の形態に係るリモコン装置の斜視図である。
【符号の説明】
１，１Ａ  ベース
２，３，４，６１，６２  スイッチユニット操作部
１０  ケーシング
１２，１３，１４，６３，６４  ピンコネクタ
１５  回路基板
１６  電池
１７  発光部
２０  シャワー系スイッチユニット
３０  フラッシュスイッチユニット
４０  便蓋スイッチユニット
５１〜５９  ピン差込孔
７０  便座スイッチユニット
８０  便座昇降スイッチユニット
【図１】
2005012546.tif 000003
【図２】
2005012546.tif 000004
【図３】
2005012546.tif 000005
【図４】
2005012546.tif 000006
【図５】
2005012546.tif 000007
【図６】
2005012546.tif 000008